(57)【要約】【課題】データの通信、およびデータの記録または再生の機能を有する装置において、消費電力を低減する。【解決手段】通信部２６は、基地局を介して通信を行う。HDD２７は、ハードディスク２７Ｂに対するデータの記録または再生を行う。記録再生部２８は、通信部２６とHDD２７への電源の供給を制御する。例えば、記録再生部２８は、HDD２７が楽曲データの再生を行う場合、HDD２７への電源の供給を許可するとともに、通信部２６への電源の供給を不許可にし、通信部２６が通信を行う場合、通信部２６への電源の供給を許可するとともに、HDD２７への電源の供給を不許可にする。本発明は、例えば、通信機能付き記録再生装置に適用することができる。【選択図】図２
2006236057.tif 000002
【特許請求の範囲】
【請求項１】
他の情報処理装置と通信を行う情報処理装置において、
記録媒体に対するデータの記録または再生を行う記録再生手段と、
前記通信を行う通信手段と、
前記記録再生手段および前記通信手段への電源の供給を制御する制御手段と
を備え、
前記制御手段は、前記記録再生手段がデータの再生を行う場合、前記記録再生手段への前記電源の供給を許可するとともに、前記通信手段への前記電源の供給を不許可にし、前記通信手段が前記通信を行う場合、前記通信手段への前記電源の供給を許可するとともに、前記記録再生手段への前記電源の供給を不許可にする
ことを特徴とする情報処理装置。
【請求項２】
前記記録再生手段により前記記録媒体から再生されたデータ、または前記記録媒体に記録させるデータを記憶する記憶手段
をさらに備える
ことを特徴とする請求項１に記載の情報処理装置。
【請求項３】
前記通信手段は、前記他の情報処理装置から前記データを受信し、
前記制御手段は、前記記録再生手段が前記通信手段により受信されたデータを前記記録媒体に記録する場合、前記記録再生手段への前記電源の供給を許可するとともに、前記通信手段への前記電源の供給を不許可にする
ことを特徴とする請求項１に記載の情報処理装置。
【請求項４】
電源を供給する複数の電源供給手段
をさらに備え、
複数の前記電源供給手段のうちのいずれか１つが、前記記録再生手段と前記通信手段に前記電源を供給する
ことを特徴とする請求項１に記載の情報処理装置。
【請求項５】
記録媒体に対するデータの記録または再生を行う記録再生手段と、他の情報処理装置と通信を行う通信手段とを備える情報処理装置の情報処理方法において、
前記記録媒体に対する前記データの記録または再生を行う記録再生ステップと、
前記通信を行う通信ステップと、
前記記録再生手段および前記通信手段への電源の供給を制御する制御ステップと
を含み、
前記制御ステップの処理は、前記記録再生ステップの処理によりデータの再生が行われる場合、前記記録再生手段への前記電源の供給を許可するとともに、前記通信手段への前記電源の供給を不許可にし、前記通信ステップの処理により前記通信が行われる場合、前記通信手段への前記電源の供給を許可するとともに、前記記録再生手段への前記電源の供給を不許可にする
ことを特徴とする情報処理方法。
【請求項６】
記録媒体に対するデータの記録または再生を行う記録再生手段と、他の情報処理装置と通信を行う通信手段とを備える情報処理装置を制御するコンピュータに行わせるプログラムにおいて、
前記記録媒体に対する前記データの記録または再生を行う記録再生ステップと、
前記通信を行う通信ステップと、
前記記録再生手段および前記通信手段への電源の供給を制御する制御ステップと
を含み、
前記制御ステップの処理は、前記記録再生ステップの処理によりデータの再生が行われる場合、前記記録再生手段への前記電源の供給を許可するとともに、前記通信手段への前記電源の供給を不許可にし、前記通信ステップの処理により前記通信が行われる場合、前記通信手段への前記電源の供給を許可するとともに、前記記録再生手段への前記電源の供給を不許可にする
ことを特徴とするプログラム。
【請求項７】
他の情報処理装置と第１のデータの通信を行う情報処理装置において、
記録媒体に記録されている第２のデータを再生する再生手段と、
前記再生手段により再生された第２のデータを一時的に蓄積する蓄積手段と、
前記蓄積手段から前記第２のデータを読み出し、その第２のデータを出力する出力手段と、
前記第1のデータの通信を行う通信手段と、
前記再生手段および前記通信手段への電源の供給を制御する電源制御手段と
を備え、
前記電源制御手段は、前記出力手段により第２のデータが出力されている間に、前記蓄積手段に蓄積される第２のデータの蓄積量が第１の所定量以下になった場合、前記再生手段への前記電源の供給を許可するとともに、前記通信手段への前記電源の供給を不許可にし、前記蓄積手段に蓄積される第２のデータの蓄積量が第２の所定量以上になった場合、前記通信手段への前記電源の供給を許可するとともに、前記再生手段への前記電源の供給を不許可にする
ことを特徴とする情報処理装置。
【請求項８】
前記通信手段による通信を制御する通信制御手段
をさらに備え、
前記通信制御手段は、前記通信手段への電源の供給が不許可にされるとき、前記第１のデータの通信を中断させ、その通信を中断させた第１のデータの位置を記憶し、その後に前記通信手段への電源の供給が許可されるとき、前記第１のデータの位置から、前記第１のデータの通信を行わせる
ことを特徴とする請求項７に記載の情報処理装置。
【請求項９】
他の情報処理装置と第１のデータの通信を行う通信手段、記録媒体に記録されている第２のデータを再生する再生手段、および前記第２のデータを一時的に蓄積する蓄積手段を備える情報処理装置の情報処理方法において、
前記記録媒体から前記第２のデータを再生する再生ステップと、
前記蓄積手段から前記第２のデータを読み出し、その第２のデータを出力する出力ステップと、
前記第1のデータの通信を行う通信ステップと、
前記再生手段および前記通信手段への電源の供給を制御する電源制御ステップと
を含み、
前記電源制御ステップの処理は、前記出力ステップの処理により第２のデータが出力されている間に、前記蓄積手段に蓄積される第２のデータの蓄積量が第１の所定量以下になった場合、前記再生手段への前記電源の供給を許可するとともに、前記通信手段への前記電源の供給を不許可にし、前記蓄積手段に蓄積される第２のデータの蓄積量が第２の所定量以上になった場合、前記通信手段への前記電源の供給を許可するとともに、前記再生手段への前記電源の供給を不許可にする
ことを特徴とする情報処理方法。
【請求項１０】
他の情報処理装置と第１のデータの通信を行う通信手段、記録媒体に記録されている第２のデータを再生する再生手段、および前記第２のデータを一時的に蓄積する蓄積手段を備える情報処理装置を制御するコンピュータに行わせるプログラムにおいて、
前記記録媒体から前記第２のデータを再生する再生ステップと、
前記蓄積手段から前記第２のデータを読み出し、その第２のデータを出力する出力ステップと、
前記第1のデータの通信を行う通信ステップと、
前記再生手段および前記通信手段への電源の供給を制御する電源制御ステップと
を含み、
前記電源制御ステップの処理は、前記出力ステップの処理により第２のデータが出力されている間に、前記蓄積手段に蓄積される第２のデータの蓄積量が第１の所定量以下になった場合、前記再生手段への前記電源の供給を許可するとともに、前記通信手段への前記電源の供給を不許可にし、前記蓄積手段に蓄積される第２のデータの蓄積量が第２の所定量以上になった場合、前記通信手段への前記電源の供給を許可するとともに、前記再生手段への前記電源の供給を不許可にする
ことを特徴とするプログラム。
【発明の詳細な説明】
【技術分野】
【０００１】
本発明は、情報処理装置および情報処理方法、並びにプログラムに関し、特に、データの通信、およびデータの記録または再生の機能を有する装置において、消費電力を低減することができるようにする情報処理装置および情報処理方法、並びにプログラムに関する。
【背景技術】
【０００２】
近年、携帯電話機を利用した音楽配信サービスが数多く提供されており、受信した音楽（楽曲）を、楽曲の再生や記録を行うオーディオ機能が搭載された携帯電話機を利用して聴くユーザも増えてきた。一方、従来のオーディオ機能に絞った携帯端末（いわゆるウォークマン（商標）など）に、携帯電話機などの通信機能が搭載され、通話したり、音楽配信サービスを受けることができる携帯端末も提案されている。
【０００３】
このような携帯端末においては、従来のオーディオ機能に絞った携帯端末では実現できなかった便利な機能（例えば、楽曲の再生とともに電子メールの受信または送信を行うことができる機能）を有する一方で、従来のオーディオプレーヤでは考慮されていなかった問題点も生じてくる。
【０００４】
例えば、携帯端末が、オーディオ機能を有するHDD（Hard Disk Drive）と、通話機能を有する通信部とを備える場合、HDDと通信部のそれぞれが大電力(例えば、１Ｗ以上)を必要とするため、HDDと通信部が同時に動作されると、携帯端末の消費電力のピーク値は極めて大きくなる。
【０００５】
ところで、ドライブに記録媒体が装着されていない場合、ドライブへの電力の供給を停止し、ドライブの待機電力をゼロにすることで、消費電力を低減する情報処理装置がある（例えば、特許文献１参照）。
【特許文献１】特開２００４−２０６５３０号公報
【発明の開示】
【発明が解決しようとする課題】
【０００６】
しかしながら、オーディオ機能と通話機能を有する携帯端末において、消費電力を低減することは提案されていなかった。即ち、このような携帯端末において、例えば、充電電池を長持ちさせたい（１回の充電による携帯端末の動作時間を長くしたい）というユーザの要望は満たされていなかった。
【０００７】
本発明は、このような状況に鑑みてなされたものであり、特に、データの通信、およびデータの記録または再生の機能を有する装置において、消費電力を低減することができるようにするものである。
【課題を解決するための手段】
【０００８】
本発明の第１の情報処理装置は、記録媒体に対するデータの記録または再生を行う記録再生手段と、通信を行う通信手段と、記録再生手段および通信手段への電源の供給を制御する制御手段とを備え、制御手段は、記録再生手段がデータの再生を行う場合、記録再生手段への電源の供給を許可するとともに、通信手段への電源の供給を不許可にし、通信手段が通信を行う場合、通信手段への電源の供給を許可するとともに、記録再生手段への電源の供給を不許可にすることを特徴とする。
【０００９】
この情報処理装置には、記録再生手段により記録媒体から再生されたデータ、または記録媒体に記録させるデータを記憶する記憶手段をさらに設けることができる。
【００１０】
通信手段は、他の情報処理装置からデータを受信し、制御手段は、記録再生手段が通信手段により受信されたデータを記録媒体に記録する場合、記録再生手段への電源の供給を許可するとともに、通信手段への電源の供給を不許可にすることができる。
【００１１】
情報処理装置には、電源を供給する複数の電源供給手段をさらに設け、複数の電源供給手段のうちのいずれか１つが、記録再生手段と通信手段に電源を供給することができる。
【００１２】
本発明の第１の情報処理方法は、記録媒体に対するデータの記録または再生を行う記録再生ステップと、通信を行う通信ステップと、記録再生手段および通信手段への電源の供給を制御する制御ステップとを含み、制御ステップの処理は、記録再生ステップの処理によりデータの再生が行われる場合、記録再生手段への電源の供給を許可するとともに、通信手段への電源の供給を不許可にし、通信ステップの処理により通信が行われる場合、通信手段への電源の供給を許可するとともに、記録再生手段への電源の供給を不許可にすることを特徴とする。
【００１３】
本発明の第１のプログラムは、記録媒体に対するデータの記録または再生を行う記録再生ステップと、通信を行う通信ステップと、記録再生手段および通信手段への電源の供給を制御する制御ステップとを含み、制御ステップの処理は、記録再生ステップの処理によりデータの再生が行われる場合、記録再生手段への電源の供給を許可するとともに、通信手段への電源の供給を不許可にし、通信ステップの処理により通信が行われる場合、通信手段への電源の供給を許可するとともに、記録再生手段への電源の供給を不許可にすることを特徴とする。
【００１４】
本発明の第２の情報処理装置は、記録媒体に記録されている第２のデータを再生する再生手段と、再生手段により再生された第２のデータを一時的に蓄積する蓄積手段と、蓄積手段から第２のデータを読み出し、その第２のデータを出力する出力手段と、第1のデータの通信を行う通信手段と、再生手段および通信手段への電源の供給を制御する電源制御手段とを備え、電源制御手段は、出力手段により第２のデータが出力されている間に、蓄積手段に蓄積される第２のデータの蓄積量が第１の所定量以下になった場合、再生手段への電源の供給を許可するとともに、通信手段への電源の供給を不許可にし、蓄積手段に蓄積される第２のデータの蓄積量が第２の所定量以上になった場合、通信手段への電源の供給を許可するとともに、再生手段への電源の供給を不許可にすることを特徴とする。
【００１５】
通信手段による通信を制御する通信制御手段をさらに備え、通信制御手段は、通信手段への電源の供給が不許可にされるとき、第１のデータの通信を中断させ、その通信を中断させた第１のデータの位置を記憶し、その後に通信手段への電源の供給が許可されるとき、第１のデータの位置から、第１のデータの通信を行わせる
ことを特徴とする。
【００１６】
本発明の第２の情報処理方法は、記録媒体から第２のデータを再生する再生ステップと、蓄積手段から第２のデータを読み出し、その第２のデータを出力する出力ステップと、第1のデータの通信を行う通信ステップと、再生手段および通信手段への電源の供給を制御する電源制御ステップとを含み、電源制御ステップの処理は、出力ステップの処理により第２のデータが出力されている間に、蓄積手段に蓄積される第２のデータの蓄積量が第１の所定量以下になった場合、再生手段への電源の供給を許可するとともに、通信手段への電源の供給を不許可にし、蓄積手段に蓄積される第２のデータの蓄積量が第２の所定量以上になった場合、通信手段への電源の供給を許可するとともに、再生手段への電源の供給を不許可にすることを特徴とする。
【００１７】
本発明の第２のプログラムは、記録媒体から第２のデータを再生する再生ステップと、蓄積手段から第２のデータを読み出し、その第２のデータを出力する出力ステップと、第1のデータの通信を行う通信ステップと、再生手段および通信手段への電源の供給を制御する電源制御ステップとを含み、電源制御ステップの処理は、出力ステップの処理により第２のデータが出力されている間に、蓄積手段に蓄積される第２のデータの蓄積量が第１の所定量以下になった場合、再生手段への電源の供給を許可するとともに、通信手段への電源の供給を不許可にし、蓄積手段に蓄積される第２のデータの蓄積量が第２の所定量以上になった場合、通信手段への電源の供給を許可するとともに、再生手段への電源の供給を不許可にすることを特徴とする。
【００１８】
本発明の第１の情報処理装置および第１の情報処理方法、並びに第１のプログラムにおいては、記録再生手段がデータの再生を行う場合、記録再生手段への電源の供給を許可するとともに、通信手段への電源の供給を不許可にし、通信手段が通信を行う場合、通信手段への電源の供給を許可するとともに、記録再生手段への電源の供給を不許可にする。
【００１９】
本発明の第２の情報処理装置および第２の情報処理方法、並びに第２のプログラムにおいては、蓄積手段に蓄積されたデータが出力されている間に、蓄積手段に蓄積されるデータの蓄積量が第１の所定量以下になった場合、再生手段への電源の供給を許可するとともに、通信手段への電源の供給を不許可にし、蓄積手段に蓄積されるデータの蓄積量が第２の所定量以上になった場合、通信手段への電源の供給を許可するとともに、再生手段への電源の供給を不許可にする。
【発明の効果】
【００２０】
本発明によれば、データの通信、およびデータの記録または再生の機能を有する装置において、消費電力を低減することができる。
【発明を実施するための最良の形態】
【００２１】
以下に本発明の実施の形態を説明するが、請求項に記載の構成要件と、発明の実施の形態における具体例との対応関係を例示すると、次のようになる。この記載は、請求項に記載されている発明をサポートする具体例が、発明の実施の形態に記載されていることを確認するためのものである。従って、発明の実施の形態中には記載されているが、構成要件に対応するものとして、ここには記載されていない具体例があったとしても、そのことは、その具体例が、その構成要件に対応するものではないことを意味するものではない。逆に、具体例が構成要件に対応するものとしてここに記載されていたとしても、そのことは、その具体例が、その構成要件以外の構成要件には対応しないものであることを意味するものでもない。
【００２２】
さらに、この記載は、発明の実施の形態に記載されている具体例に対応する発明が、請求項に全て記載されていることを意味するものではない。換言すれば、この記載は、発明の実施の形態に記載されている具体例に対応する発明であって、この出願の請求項には記載されていない発明の存在、すなわち、将来、分割出願されたり、補正により追加される発明の存在を否定するものではない。
【００２３】
請求項１に記載の情報処理装置は、
他の情報処理装置と通信を行う情報処理装置（例えば、図１の記録再生装置１２）において、
記録媒体(例えば、図２のハードディスク２７Ｂ)に対するデータ(例えば、楽曲データ)の記録または再生を行う記録再生手段(例えば、図２のHDD２７)と、
前記通信を行う通信手段(例えば、図３の選択部７３)と、
前記記録再生手段および前記通信手段への電源の供給を制御する制御手段(例えば、図２の記録再生部２８)と
を備え、
前記制御手段は、前記記録再生手段がデータの再生を行う場合、前記記録再生手段への前記電源の供給を許可するとともに（例えば、図８のステップＳ４の処理）、前記通信手段への前記電源の供給を不許可にし(例えば、図８のステップＳ３の処理)、前記通信手段が前記通信を行う場合、前記通信手段への前記電源の供給を許可するとともに(例えば、図８のステップＳ７の処理)、前記記録再生手段への前記電源の供給を不許可にする(例えば、図８のステップＳ６の処理)
ことを特徴とする。
【００２４】
請求項２に記載の情報処理装置は、
前記記録再生手段により前記記録媒体から再生されたデータ、または前記記録媒体に記録させるデータを記憶する記憶手段(例えば、図４のバッファRAM１１３)
をさらに備える
ことを特徴とする。
【００２５】
請求項３に記載の情報処理装置は、
前記通信手段は、前記他の情報処理装置から前記データを受信し(例えば、図１２のステップＳ４２の処理)、
前記制御手段は、前記記録再生手段が前記通信手段により受信されたデータを前記記録媒体に記録する場合、前記記録再生手段への前記電源の供給を許可するとともに（例えば、図１１のステップＳ３５の処理）、前記通信手段への前記電源の供給を不許可にする(例えば、図１１のステップＳ３４の処理)
ことを特徴とする。
【００２６】
請求項４に記載の情報処理装置は、
電源を供給する複数の電源供給手段(例えば、図１３のDC/DCコンバータ２０１と電源回路２２Ｃ)
をさらに備え、
複数の前記電源供給手段のうちのいずれか１つ(例えば、図１３のDC/DCコンバータ２０１)が、前記記録再生手段と前記通信手段に前記電源を供給する
ことを特徴とする。
【００２７】
請求項５に記載の情報処理方法は、
記録媒体(例えば、図２のハードディスク２７Ｂ)に対するデータ（例えば、楽曲データ）の記録または再生を行う記録再生手段(例えば、図２のHDD２７)と、他の情報処理装置と通信を行う通信手段(例えば、図３の選択部７３)とを備える情報処理装置（例えば、図２の記録再生装置１２）の情報処理方法において、
前記記録媒体に対する前記データの記録または再生を行う記録再生ステップ(例えば、図９のステップＳ１２）と、
前記通信を行う通信ステップ(例えば、図１０のステップＳ２３，Ｓ２４，Ｓ２６)と、
前記記録再生手段および前記通信手段への電源の供給を制御する制御ステップ(例えば、図８のステップＳ３，Ｓ４，Ｓ６，Ｓ７)と
を含み、
前記制御ステップの処理は、前記記録再生ステップの処理によりデータの再生が行われる場合、前記記録再生手段への前記電源の供給を許可するとともに（例えば、図８のステップＳ４の処理）、前記通信手段への前記電源の供給を不許可にし（例えば、図８のステップＳ３の処理）、前記通信ステップの処理により前記通信が行われる場合、前記通信手段への前記電源の供給を許可するとともに(例えば、図８のステップＳ７の処理)、前記記録再生手段への前記電源の供給を不許可にする（例えば、図８のステップＳ６の処理）
ことを特徴とする。
【００２８】
請求項６に記載のプログラムは、
記録媒体(例えば、図２のハードディスク２７Ｂ)に対するデータ（例えば、楽曲データ）の記録または再生を行う記録再生手段(例えば、図２のHDD２７)と、他の情報処理装置と通信を行う通信手段(例えば、図３の選択部７３)とを備える情報処理装置（例えば、図２の記録再生装置１２）を制御するコンピュータに行わせるプログラムにおいて、
前記記録媒体に対する前記データの記録または再生を行う記録再生ステップ(例えば、図９のステップＳ１２）と、
前記通信を行う通信ステップ(例えば、図１０のステップＳ２３，Ｓ２４，Ｓ２６)と、
前記記録再生手段および前記通信手段への電源の供給を制御する制御ステップ(例えば、図８のステップＳ３，Ｓ４，Ｓ６，Ｓ７)と
を含み、
前記制御ステップの処理は、前記記録再生ステップの処理によりデータの再生が行われる場合、前記記録再生手段への前記電源の供給を許可するとともに（図８のステップＳ４の処理）、前記通信手段への前記電源の供給を不許可にし（例えば、図８のステップＳ３の処理）、前記通信ステップの処理により前記通信が行われる場合、前記通信手段への前記電源の供給を許可するとともに(例えば、図８のステップＳ７の処理)、前記記録再生手段への前記電源の供給を不許可にする（例えば、図８のステップＳ６の処理）
ことを特徴とする。
【００２９】
請求項７に記載の情報処理装置は、
他の情報処理装置と第１のデータ（例えば、電子メール）の通信を行う情報処理装置（例えば、図１の記録再生装置１２）において、
記録媒体（例えば、図２のハードディスク２７Ｂ）に記録されている第２のデータ(例えば、楽曲データ)を再生する再生手段(例えば、図２のHDD２７)と、
前記再生手段により再生された第２のデータを一時的に蓄積する蓄積手段(例えば、図４のバッファRAM１１３)と、
前記蓄積手段から前記第２のデータを読み出し、その第２のデータを出力する出力手段（例えば、図４のRAMI/F１２２）と、
前記第1のデータの通信を行う通信手段(例えば、図３の選択部７３)と、
前記再生手段および前記通信手段への電源の供給を制御する電源制御手段（例えば、図４のCPU１０２）と
を備え、
前記電源制御手段は、前記出力手段により第２のデータが出力されている間に、前記蓄積手段に蓄積される第２のデータの蓄積量が第１の所定量以下になった場合、前記再生手段への前記電源の供給を許可するとともに(例えば、図８のステップＳ４の処理)、前記通信手段への前記電源の供給を不許可にし（例えば、図８のステップＳ３の処理）、前記蓄積手段に蓄積される第２のデータの蓄積量が第２の所定量以上になった場合、前記通信手段への前記電源の供給を許可するとともに(例えば、図８のステップＳ７の処理)、前記再生手段への前記電源の供給を不許可にする(例えば、図８のステップＳ６の処理)
ことを特徴とする。
【００３０】
請求項８に記載の情報処理装置は、
前記通信手段による通信を制御する通信制御手段（例えば、図３のマイコン７２）
をさらに備え、
前記通信制御手段は、前記通信手段への電源の供給が不許可にされるとき、前記第１のデータの通信を中断させ、その通信を中断させた第１のデータの位置を記憶し（例えば、図１０のステップＳ２９の処理）、その後に前記通信手段への電源の供給が許可されるとき、前記第１のデータの位置から、前記第１のデータの通信を行わせる(例えば、図１０のステップＳ２６の処理)
ことを特徴とする。
【００３１】
請求項９に記載の情報処理方法は、
他の情報処理装置と第１のデータ(例えば、電子メール)の通信を行う通信手段(例えば、図３の選択部７３)、記録媒体に記録されている第２のデータ（例えば、楽曲データ）を再生する再生手段(例えば、図２のHDD２７)、および前記第２のデータを一時的に蓄積する蓄積手段（例えば、図４バッファRAM１１３）を備える情報処理装置(例えば、図２の記録再生装置１２)の情報処理方法において、
前記記録媒体から前記第２のデータを再生する再生ステップ(例えば、図９のステップＳ１２）と、
前記蓄積手段から前記第２のデータを読み出し、その第２のデータを出力する出力ステップ（例えば、図９のステップＳ１３）と、
前記第1のデータの通信を行う通信ステップ(例えば、図１０のステップＳ２３，Ｓ２４，Ｓ２６)と、
前記再生手段および前記通信手段への電源の供給を制御する電源制御ステップ(例えば、図８のステップＳ３，Ｓ４，Ｓ６，Ｓ７)と
を含み、
前記電源制御ステップの処理は、前記出力ステップの処理により第２のデータが出力されている間に、前記蓄積手段に蓄積される第２のデータの蓄積量が第１の所定量以下になった場合、前記再生手段への前記電源の供給を許可するとともに(例えば、図８のステップＳ４の処理)、前記通信手段への前記電源の供給を不許可にし（例えば、図８のステップＳ３の処理）、前記蓄積手段に蓄積される第２のデータの蓄積量が第２の所定量以上になった場合、前記通信手段への前記電源の供給を許可するとともに(例えば、図８のステップＳ７の処理)、前記再生手段への前記電源の供給を不許可にする(例えば、図８のステップＳ６の処理)
ことを特徴とする。
【００３２】
請求項１０に記載のプログラムは、
他の情報処理装置と第１のデータ(例えば、電子メール)の通信を行う通信手段(例えば、図３の選択部７３)、記録媒体に記録されている第２のデータ（例えば、楽曲データ）を再生する再生手段(例えば、図２のHDD２７)、および前記第２のデータを一時的に蓄積する蓄積手段（例えば、図４バッファRAM１１３）を備える情報処理装置(例えば、図２の記録再生装置１２)を制御するコンピュータに行わせるプログラムにおいて、
前記記録媒体から前記第２のデータを再生する再生ステップ(例えば、図９のステップＳ１２）と、
前記蓄積手段から前記第２のデータを読み出し、その第２のデータを出力する出力ステップ（例えば、図９のステップＳ１３）、
前記第1のデータの通信を行う通信ステップ(例えば、図１０のステップＳ２３，Ｓ２４，Ｓ２６)と、
前記再生手段および前記通信手段への電源の供給を制御する電源制御ステップ(例えば、図８のステップＳ３，Ｓ４，Ｓ６，Ｓ７)と
を含み、
前記電源制御ステップの処理は、前記出力ステップの処理により第２のデータが出力されている間に、前記蓄積手段に蓄積される第２のデータの蓄積量が第１の所定量以下になった場合、前記再生手段への前記電源の供給を許可するとともに(例えば、図８のステップＳ４の処理)、前記通信手段への前記電源の供給を不許可にし（例えば、図８のステップＳ３の処理）、前記蓄積手段に蓄積される第２のデータの蓄積量が第２の所定量以上になった場合、前記通信手段への前記電源の供給を許可するとともに(例えば、図８のステップＳ７の処理)、前記再生手段への前記電源の供給を不許可にする(例えば、図８のステップＳ６の処理)
ことを特徴とする。
【００３３】
以下、本発明を適用した具体的な実施の形態について、図面を参照しながら詳細に説明する。
【００３４】
図１は、本発明を適用した通信システムの構成例を示している。
【００３５】
図１の通信システム１は、携帯キャリアの基地局１１と記録再生装置１２から構成される。記録再生装置１２は、基地局１１を介して、電子メールの送受信、通話、または楽曲のデータ（楽曲データ）のダウンロードなどを行う。また、記録再生装置１２は、ダウンロードした楽曲データを記録したり、再生する。
【００３６】
図２は、図１の記録再生装置１２の第１実施の形態の構成例を示すブロック図である。
【００３７】
図２の記録再生装置１２は、電源蓄積部２１、電源供給部２２、電池２３、スイッチ２４と２５、通信部２６、HDD（Hard Disk Drive）２７、記録再生部２８、アンテナ２９、マイクロホン３０、音声出力部３１、操作部３２、並びに表示出力部３３から構成される。
【００３８】
電源蓄積部２１には、外部から直流電源が供給され、電源蓄積部２１は、その直流電源を充電し、電力を電源供給部２２に供給する。電源供給部２２は、電源回路２２Ａ乃至２２Ｃから構成され、電源供給部２２には、外部、電源蓄積部２１、またはリチウムイオン電池などの電池２３から電源が供給される。電源供給部２２の電源回路２２Ａには、電源ライン２６Ａが接続され、電源回路２２Ａは、電源ライン２６Ａとスイッチ２４を介して通信部２６に電源を供給する。
【００３９】
また、電源供給部２２の電源回路２２Ｂには、電源ライン２７Ａが接続され、電源回路２２Ｂは、電源ライン２７Ａとスイッチ２５を介してHDD２７に電源を供給する。さらに、電源供給部２２の電源回路２２Ｃには、電源ライン２８Ａが接続され、電源回路２２Ｃは、電源ライン２８Ａを介して記録再生部２８に電源を供給する。なお、図示はしないが、電源供給部２２の電源回路２２Ｃは、例えば、電源ライン２８Ａを介して、記録再生部２８のほか、通信部２６とHDD２７以外の各部にも電源を供給する。
【００４０】
スイッチ２４は、記録再生部２８から供給される通信部２６への電源の供給を制御する通信部制御信号に基づいて、通信部２６に電源を供給したり、通信部２６への電源の供給を停止する。スイッチ２５は、スイッチ２４と同様に、記録再生部２８から供給されるHDD２７への電源の供給を制御するHDD制御信号に基づいて、HDD２７に電源を供給したり、HDD２７への電源の供給を停止する。
【００４１】
通信部２６には、アンテナ２９が接続される。通信部２６は、アンテナ２９を介して、基地局１１（図１）から電波を受信したり、基地局１１に電波を送信する。通信部２６にはまた、記録再生部２８、マイクロホン３０、および音声出力部３１が接続されている。通信部２６は、マイクロホン３０から供給される音声（の信号）に対応する電波を、アンテナ２９を介して送信したり、アンテナ２９を介して受信した電波に対応する音声（の信号）を、音声出力部３１に供給することにより、通話を行う。
【００４２】
また、通信部２６は、アンテナ２９を介して、楽曲データをダウンロードし、記録再生部２８に供給する。さらに、通信部２６は、アンテナ２９を介して、電子メール（のデータ）を送受信する。また、記録再生部２８からスタンバイの指令が供給される場合、通信部２６は、動作モードを消費電力の少ないスタンバイモード（省電力モード）に設定する。さらに、通信部２６は、動作モードがスタンバイモードであるかどうかを表すステータス信号を、記録再生部２８に供給する。
【００４３】
HDD２７は、内蔵するハードディスク２７Ｂに対する、記録再生部２８から供給される楽曲データなどの記録または再生を行う。HDD２７は、ハードディスク２７Ｂから再生したが曲データを記録再生部２８に供給する。
【００４４】
記録再生部２８は、操作部３２から供給されるユーザからの操作を表す操作信号にしたがって、各種の処理を行う。例えば、記録再生部２８は、通信部２６からの楽曲データをHDD２７に供給したり、HDD２７から供給される楽曲データを、音声出力部３１に供給する。記録再生部２８は、通信部制御信号をスイッチ２４に供給し、HDD制御信号をスイッチ２５に供給する。
【００４５】
また、記録再生部２８は、通信部２６にスタンバイの指令を供給する。記録再生部２８は、表示出力部３３のLCD（Liquid Crystal Display）５１に各種の画像や通信部２６で送受信する電子メールを表示させたり、表示出力部３３のLED(Light Emitting Diode)５２を点灯または点滅させる。例えば、通信部２６から動作モードがスタンバイモードではないことを表すステータス信号が供給される場合、記録再生部２８は、LED５２を点灯させ、ユーザに通信部２６が動作していることを通知する。
【００４６】
マイクロホン３０は、周囲の音声を取得し、通信部２６に供給する。音声出力部３１は、ヘッドホン４１とスピーカ４２から構成され、通信部２６および記録再生部２８から供給される音声を出力する。操作部３２は、キー（例えば、プレイ(再生)キー、AMSキー、ボリュウムキーなど）やボタンから構成され、ユーザからの操作を受け付ける。例えば、操作部３２は、ユーザからの操作を表す操作信号を、記録再生部２８に供給する。表示出力部３３は、LCD５１とLED５２から構成される。LCD５１は、記録再生部２８の制御により、画像を表示する。LED５２は、記録再生部２８の制御により、点灯または点滅する。
【００４７】
図３は、図２の通信部２６の詳細構成例を示すブロック図である。
【００４８】
図３の通信部２６は、電源供給部７１、マイコン（マイクロコンピュータ）７２、選択部７３、受信部７４、モデム７５、フラッシュメモリ７６、コーデック７７、D/A（Digital/Analog）変換部７８、A/D（Analog/Digital）変換部７９、および送信部８０から構成される。
【００４９】
電源供給部７１には、図２の電源供給部２２の電源回路２２Ａから電源ライン２６Ａとスイッチ２４を介して電源が供給される。電源供給部７１は、マイコン７２の制御により、各部に電源を供給する。
【００５０】
マイコン７２は、図２の記録再生部２７から供給されるスタンバイの指令に応じて、動作モードをスタンバイモードに設定する。このとき、マイコン７２は、電源供給部７１を制御し、マイコン７２とモデム７５以外への電源の供給を停止させる。なお、マイコン７２とモデム７５における消費電力は、通信部２６全体における消費電力に比べて十分小さい。
【００５１】
マイコン７２はまた、モデム７５と送信部８０を制御する。また、マイコン７２は、動作モードがスタンバイモードであるかどうかを表すステータス信号を、記録再生部２７に供給する。
【００５２】
選択部７３は、アンテナ２９を介して基地局１１から受信した電波を、受信部７４に供給する。また、選択部７３は、送信部８０からの電波を、アンテナ２９を介して、基地局１１に送信する。即ち、選択部７３は、基地局１１を介して他の装置と通信を行う。
【００５３】
受信部７４は、選択部７３から供給される電波をモデム７５に供給する。モデム７５は、復調部９１と変調部９２から構成される。復調部９１は、受信部７４からの電波を、例えば、GSM（Global System for Mobile Communications）方式、CDMA(Code Division Multiple Access)方式などしたがって復調し、その結果得られるデータを、受信データとしてフラッシュメモリ７６に供給し、一時的に記憶させる。
【００５４】
復調部９１は、フラッシュメモリ７６から受信データを読み出し、受信データのうち楽曲データを記録再生部２７またはマイコン７２に供給し、通話のデータ(通話データ)や電子メール（のデータ）をコーデック７７に供給する。また、変調部９２は、コーデック７７のエンコード部１０２からの通話データや電子メールをGSM方式、CDMA方式などしたがって変調し、その結果得られる電波を送信部８０に供給する。
【００５５】
コーデック７７は、デコード部１０１とエンコード部１０２から構成される。デコード部１０１は、復調部９１からの通話データをデコードし、D/A変換部７８に供給する。また、デコード部１０１は、復調部９１からの電子メールをデコードし、記録再生部２７に供給する。エンコード部１０２は、A/D変換部７９からの通話データや記録再生部２７からの電子メールをエンコードし、モデム７５の変調部９２に供給する。
【００５６】
D/A変換部７８は、コーデック７７のデコード部１０１からの通話データに対して、D/A変換を行い、その結果得られるアナログ信号を音声出力部３１（図２）に供給する。これにより、ユーザは、通話相手からの音声を聞くことができる。A/D変換部７９は、マイクロホン３０から供給される周囲の音声（アナログ信号）に対して、A/D変換を行い、その結果得られるデジタルデータを、通話データとして、コーデック７７のエンコード部１０２に供給する。送信部８０は、モデム７５の変調部９１から供給される電波を、選択部７３に供給する。
【００５７】
図４は、図２の記録再生部２８の詳細構成例を示すブロック図である。
【００５８】
図４の記録再生部２８は、電源供給部１０１、CPU１０２、バス１０３、RAM１０４、フラッシュメモリ１０５、処理部１０６、入力アンプ１０７、ADC（Analog Digital Converter）１０８、コーデック１０９、DAC（Digital Analog Converter）１１０、出力アンプ１１１、撮影部１１２、バッファRAM１１３、およびUSB（Universal Serial Bus）１１４から構成される。
【００５９】
電源供給部１０１には、図２の電源供給部２２の電源回路２２Ｃから電源ライン２８Ａを介して電源が供給され、電源供給部１０１は、各部に電源を供給する。
【００６０】
CPU１０２は、各部を制御し、各種の処理を実行する。例えば、CPU１０２は、操作部３２（図２）からCPUI/F１２８を介して供給される操作信号にしたがって、各部を制御する。CPU１０２は、通信部２６のマイコン７２（図３）に、スタンバイの指令を行うことにより、通信部２６のマイコン７２とモデム７５以外への電源の供給を制御する。また、CPU１０２は、通信部２６への電源の供給を制御する通信部制御信号をスイッチ２４に供給し、HDD２７への電源の供給を制御するHDD制御信号をスイッチ２５に供給することにより、通信部２６とHDD２７への電源の供給を制御する。
【００６１】
CPU１０２は、CPUI/F１２８を介して表示出力部３３（図２）を制御し、表示出力部３３のLCD５１に各種の画像や通信部２６から通信部I/F１２５とCPUI/F１２８を介して供給される電子メールを表示させたり、表示出力部３３のLED５２を点灯または点滅させる。また、CPU１０２は、操作部３２からの操作信号にしたがって、送信対象とする電子メール（のデータ）を作成し、CPUI/F１２８と通信部I/F１２５を介して、通信部２６のエンコード部１０２に供給する。
【００６２】
CPU１０２には、バス１０３を介して、RAM１０４、フラッシュメモリ１０５、および処理部１０６のCPUI/F（Interface）１２８が接続されている。RAM１０４は、CPU１０２の実行において使用するプログラムや、その実行において適宜変化するパラメータを格納する。フラッシュメモリ１０５は、例えば、CPU１０２が使用するプログラム、その実行において適宜変化するパラメータ、演算用のパラメータなどを格納する。
【００６３】
処理部１０６は、撮影部I/F１２１、RAMI/F１２２、コーデック１２３、USBI/F１２４、通信部I/F１２５、コーデックI/F１２６、DMAC（Direct Memory Access Controller）１２７、CPUI/F１２８、およびHDDI/F１２９から構成される。
【００６４】
撮影部I/F１２１は、撮影部１１２から供給される画像データをコーデック１２３に供給する。RAMI/F１２２は、DMAC１２７の制御により、バッファRAM１１３から楽曲データを読み出してコーデックI/F１２６またはHDDI/F１２９に供給したり、通信部I/F１２５またはHDDI/F１２９からの楽曲データをバッファRAM１１３に記憶させる。コーデック１２３は、例えば、JPEG（Joint Photographic Experts Group）方式にしたがって、撮影部I/F１２１からの画像データをエンコードしたり、HDDI/F１２９からの画像データをデコードする。コーデック１２３は、デコード後の画像データを、CPUI/F１２８とバス１０３を介して、表示出力部３３に供給し、その画像データに対応する画像を、表示出力部３３のLCD５１に表示させる。
【００６５】
USBI/F１２４は、USB１１４を介して接続されている図示せぬパーソナルコンピュータなどの外部装置から楽曲データや画像データをダウンロードし、HDDI/F１２９に供給したり、HDDI/F１２９から供給される楽曲データや画像データを、USB１１４を介して外部装置に送信する。
【００６６】
通信部I/F１２５には、通信部２６の復調部９１（図３）から楽曲データが供給され、通信部I/F１２５は、その楽曲データをRAMI/F１２２に供給する。また、通信部I/F１２５には、通信部２６のマイコン７２からステータス信号が供給され、通信部I/F１２５は、そのステータス信号を、CPUI/F１２８とバス１０３を介して、CPU１０２に供給する。さらに、通信部I/F１２５は、CPU１０２から、バス１０３とCPUI/F１２８を介して供給されるスタンバイの指令を、通信部２６のマイコン７２に供給する。
【００６７】
コーデックI/F１２６は、コーデック１０９のエンコーダ１３１から供給される音声データを、HDDI/F１２９に供給する。ここで、音声データとは、マイクロホン３０で通話時以外に取得される音声のデータである。HDDI/F１２９からの楽曲データや音声データを、コーデック１０９のデコーダ１３２に供給する。DMAC１２７は、RAMI/F１２２を制御して、HDD２７から読み出された楽曲データや音声データをバッファRAM１１３に記憶させたり、バッファRAM１１３から楽曲データや音声データを読み出してコーデックI/F１２６に供給させる。
【００６８】
CPUI/F１２８は、CPU１０２からバス１０３を介して供給されるスタンバイの指令を、通信部I/F１２５に供給したり、通信部I/F１２５から供給されるステータス信号を、バス１０３を介してCPU１０２に供給する。
【００６９】
HDDI/F１２９は、図２のHDD２７のハードディスク２７Ｂに記録されている画像データを読み出し、コーデック１２３またはUSBI/F１２４に供給したり、ハードディスク２７Ｂに記録されている楽曲データや音声データを読み出し、RAMI/F１２２またはUSBI/F１２４に供給する。また、HDDI/F１２９は、RAMI/F１２２からの楽曲データ、コーデック１２３からの画像データ、USBI/F１２４からの画像データや楽曲データ、あるいはコーデックI/F１２６からの音声データを、HDD２７のハードディスク２７Ｂに記録させる。
【００７０】
入力アンプ１０７には、図２のマイクロホン３０から音声（のアナログ信号）が供給され、入力アンプ１０７は、その音声のアナログ信号を増幅して、ADC１０８に供給する。ADC１０８は、入力アンプ１０７からの音声のアナログ信号に対して、A/D変換を行い、その結果得られるデジタル信号を、音声データとして、コーデック１０９に供給する。
【００７１】
コーデック１０９は、エンコーダ１３１とデコーダ１３２から構成される。エンコーダ１３１は、ADC１０８からの音声データを、所定の方式でエンコードし、コーデックI/F１２６に供給する。デコーダ１３２は、コーデックI/F１２６からの音声データを、所定の方式でデコードし、DAC１１０に供給する。
【００７２】
DAC１１０は、コーデック１０９のデコーダ１３２からの楽曲データや音声データに対して、D/A変換を行い、その結果得られるアナログ信号を、楽曲信号や音声信号として出力アンプ１１１に供給する。出力アンプ１１１は、DAC１１０からの楽曲信号や音声信号を増幅し、音声出力部３１（図２）に供給する。その結果、音声出力部３１のヘッドホン４１またはスピーカ４２から楽曲信号に対応する楽曲や音声信号に対応する音声が出力される。
【００７３】
撮影部１１２は、レンズ部１４１、イメージセンサ１４２、および撮影処理部１４３から構成される。被写体から反射された光は、レンズ部１４１を介して、イメージセンサ１４２に入力される。イメージセンサ１４２は、例えば、CCD（Charge Coupled Device）やCMOS(Complementary Metal Oxide Semiconductor)などから構成され、レンズ部１４１を介して入力される光に対して光電変換を行い、その結果得られる画像信号を撮影処理部１４３に供給する。
【００７４】
撮影処理部１４３は、信号処理部１５１とCPU１５２から構成される。信号処理部１５１は、撮影処理部１４３からの画像信号に対して、A/D変換などの所定の処理を行い、その結果得られるデジタル信号を、画像データとして、処理部１０６の撮影部I/F１２１に供給する。CPU１５２は、撮影部１１２の各部を制御し、被写体の撮影を行う。
【００７５】
バッファRAM１１３は、RAMI/F１２２からの楽曲データや音声データを記憶する。USB１１４は、USBI/F１２４からの画像データや楽曲データを、外部装置に送信したり、外部装置からの画像データや楽曲データを、USBI/F１４に供給する。
【００７６】
次に、図５乃至図７を参照して、図４の記録再生部２８のCPU１０２が行う通信部２６とHDD２７への電源の供給の制御について説明する。なお、図５乃至図７では、横軸は時間を表している。
【００７７】
また、以下では、記録再生装置１２の電源がオンにされている場合、即ち電源供給部２２（の電源回路２２Ｃ）から記録再生部２８に電源が供給されている場合において、ユーザが操作部３２（図２）を操作することにより、楽曲データの記録または再生を指令していないとき、CPU１０２は、スイッチ２４に通信部２６への電源の供給を許可する通信部制御信号を供給し、スイッチ２５にHDD２７への電源の供給を不許可にするHDD制御信号を供給しているものとする。即ち、通信部２６には電源が供給され、HDD２７には電源が供給されないものとする。
【００７８】
図５では、ユーザが通話をしていない場合に、ユーザが操作部３２を操作することにより、HDD２７のハードディスク２７Ｂに記録されている楽曲データの再生を指令したとき、CPU１０２が行う電源の供給の制御について説明する。
【００７９】
図５に示すように、時刻ｔ1において、ユーザが操作部３２を操作し、楽曲データの再生を指令する場合、操作部３２は、その操作を表す操作信号を記録再生部２８のCPU１０２に供給する。CPU１０２は、その操作信号に応じて、バス１０３、CPUI/F１２８、および通信部I/F１２５を介して、通信部２６のマイコン７２にスタンバイの指令を供給する。マイコン７２は、CPU１０２からのスタンバイの指令に応じて、CPU１０２に通信部I/F１２５、CPUI/F１２８、およびバス１０３を介して供給するステータス信号を、動作モードがスタンバイモードであることを表すステータス信号に変更する（図中、ステータス信号をオフにする）。
【００８０】
時刻ｔ2において、マイコン７２は、スタンバイの指令に応じて、動作モードをスタンバイモードにする。即ち、マイコン７２は、電源供給部７１を制御し、マイコン７２とモデム７５以外への電源の供給を停止させる。換言すれば、通信部２６のマイコン７２とモデム７５以外への電源の供給は不許可にされる。
【００８１】
その後、時刻ｔ3において、CPU１０２は、HDD２７への電源の供給を許可するHDD制御信号をスイッチ２５に供給し、スイッチ２５は、そのHDD制御信号に基づいて、電源供給部２２（の電源回路２２Ｂ）からの電源のHDD２７への供給を開始する。その結果、HDD２７の電源はオンにされる。
【００８２】
HDD２７の電源がオンにされると、処理部１０６のHDDI/F１２９は、CPU１０２の制御により、HDD２７に内蔵するハードディスク２７Ｂに記録されている楽曲データを読み出し、RAMI/F１２２に供給する。時刻ｔ4において、RAMI/F１２２は、DMAC１２７の制御により、HDDI/F１２９からの楽曲データを、バッファRAM１１３に供給し、記憶させる（書き込む）とともに、バッファRAM１１３に記憶されている楽曲データを読み出し、コーデックI/F１２６に供給する。
【００８３】
コーデックI/F１２６は、バッファRAM１１３からの楽曲データを、コーデック１２６のデコーダ１３２に供給し、デコーダ１３２は、その楽曲データをデコードしてDAC１１０に供給する。DAC１１０は、デコード後の楽曲データに対して、D/A変換を行い、その結果得られる楽曲信号を出力アンプ１１１に供給する。出力アンプ１１１は、その楽曲信号を増幅して音声出力部３０に供給し、音声出力部３０のヘッドホン４１とスピーカ４２は、その増幅後の楽曲信号に対応する楽曲を出力する。
【００８４】
RAMI/F１２２は、バッファRAM１１３に記憶可能な楽曲データの容量（空き容量）がなくなる(バッファRAM１１３の記憶容量が、製造時に予め設定された所定の容量以上である）時刻ｔ5まで、HDDI/F１２９からの楽曲データをバッファRAM１２３に書き込むとともに、バッファRAM１２３から楽曲データを読み出す。即ち、時刻ｔ4から時刻ｔ5までの期間において、バッファRAM１２３は読み出しと書き込みの両方を行っている。
【００８５】
時刻ｔ5において、CPU１０２は、HDD２７への電源の供給を不許可にするHDD制御信号をスイッチ２５に供給し、HDD２７の電源をオフにする。これにより、HDD２７は楽曲データの再生を停止し、HDDI/F１２９は、RAMI/F１２２への楽曲データの供給を停止する。また、RAMI/F１２２は、HDD２７からの楽曲データの書き込みを停止し、楽曲データの読み出しのみを行う。その結果、バッファRAM１１３に記憶されている楽曲データに対応する楽曲の音声出力部３１からの出力は停止されない。
【００８６】
その後、時刻ｔ6において、CPU１０２は、マイコン７２に通信部２６の各部への電源の供給の指令を供給する。マイコン７２は、その指令に応じて、電源供給部７１を制御し、電源供給部２２（の電源回路２２Ａ）からの電源を、通信部２６の各部に供給させる。即ち、通信部２６の電源がオンにされる。これにより、時刻ｔ6から、通信部２６の動作モードがスタンバイモードにされる後述する時刻ｔ9までの間、通信部２６は、通話や電子メールの送受信を行う。即ち、ユーザは通話や電子メールの送受信を行うことができる。
【００８７】
時刻ｔ7において、通信部２６の電源供給部７１は、電源供給部２２（の電源回路２２Ａ）から電源ライン２６Ａとスイッチ２４を介して供給される電源を、各部に供給する。マイコン７２は、CPU１０２に供給するステータス信号を、動作モードがスタンバイモードではないことを表すステータス信号に変更する（図中、ステータス信号をオンにする）。
【００８８】
バッファRAM１１３に記憶されている楽曲データがすべて読み出される前の時刻ｔ8において、CPU１０２は、マイコン７２にスタンバイの指令を供給する。マイコン７２は、スタンバイの指令に応じて、時刻ｔ1の場合と同様に、CPU１０２に供給するステータス信号を、動作モードがスタンバイモードであることを表すステータス信号に変更する。
【００８９】
時刻ｔ9において、マイコン７２は、時刻ｔ2の場合と同様に、動作モードをスタンバイモードにする。  
【００９０】
その後、時刻ｔ10において、CPU１０２は、時刻ｔ3の場合と同様に、HDD２７への電源の供給を許可するHDD制御信号をスイッチ２５に供給し、HDD２７の電源をオンにする。時刻ｔ11において、時刻ｔ4の場合と同様に、ハードディスク２７Ｂから再生された楽曲データが、HDDI/F１２９とRAMI/F１２２を介して、バッファRAM１１３に記憶される。即ち、バッファRAM１１３への書き込みと、バッファRAM１１３からの読み出しが同時に行われる。そして、以降、ユーザが操作部３２を操作することにより、再生の終了を指令するまで、上述した処理が繰り返し行われる。
【００９１】
時刻ｔ12において、ユーザが操作部３２を操作し、再生の終了を指令する場合、CPU１０２は、その操作を表す操作信号に応じて、DMAC１２７を制御し、バッファRAM１１３からの楽曲データの読み出しを停止させる。その結果、時刻ｔ13において、RAMI/F１２２は、DMAC１２７の制御により、バッファRAM１１３からの楽曲データの読み出しを停止する。
【００９２】
以上のように、記録再生装置１２では、ハードディスク２７Ｂに記録されている楽曲データが、間欠的に読み出されてバッファRAM１２３に書き込まれ、その期間(例えば、時刻ｔ3から時刻ｔ5までの期間)において、通信部２６の動作モードはスタンバイモードにされる。但し、楽曲の音声出力部３１からの出力は、時刻ｔ1におけるユーザの再生の指令に応じて時刻ｔ4で開始してから、時刻ｔ12におけるユーザの再生の終了の指令に応じて時刻ｔ13において終了するまで継続される。即ち、記録再生装置１２では、楽曲の連続出力を保証しつつ、所定の期間（例えば、時刻ｔ6から時刻ｔ8の期間）において通信を行うことができる。その結果、ユーザは、楽曲を聴きながら電子メールなどの通信も行うことができる。
【００９３】
図６では、ユーザが通話をしている場合に、楽曲データの再生を指令したとき、CPU１０２が行う電源の供給の制御について説明する。
【００９４】
図６に示すように、時刻ｔ21において、ユーザが操作部３２を操作し、通話の指令を行う場合、操作部３２は、その操作を表す操作信号を記録再生部２８のCPU１０２に供給する。CPU１０２は、その操作信号に応じて、通信部２６のマイコン７２に通話の指令を供給する。マイコン７２は、通話の指令に応じて、モデム７５を制御し、通話を行う。
【００９５】
具体的には、モデム７５の復調部９１は、受信部７４からの電波を復調し、その結果得られる通話データを、デコード部１０１とD/A変換部７８を介して音声出力部３１に供給し、その通話データに対応する通話を、音声出力部３１から出力する。また、変調部７５は、マイクロホン３０からA/D変換部７９とエンコード部１０２を介して供給される通話データを変調し、その結果得られる電波を、送信部８０、選択部７３、およびアンテナ２９を介して、基地局１１に送信する。
【００９６】
時刻ｔ22において、ユーザが操作部３２を操作し、楽曲データの再生の指令を行う場合、CPU１０２は、操作部３２からの操作信号に応じて、表示出力部３３に、楽曲の再生を行うことができない旨を表すメッセージを表示させる。そして、ユーザが操作部３２を操作し、通話の終了を指令するまで、CPU１０２は、楽曲データの再生を行わない。なお、CPU１０２は、表示出力部３３にメッセージを表示させるのではなく、音声出力部３１からメッセージに対応する音声を出力するようにしてもよい。
【００９７】
時刻ｔ23において、ユーザが操作部３２を操作し、通話の終了を指令した場合、CPU１０２は、マイコン７２にスタンバイの指令を行う。マイコン７２は、そのスタンバイの指令に応じて、CPU１０２に供給するステータス信号を、動作モードがスタンバイモードであることを表すステータス信号に変更する。
【００９８】
時刻ｔ24において、マイコン７２は、動作モードをスタンバイモードに設定する。その後、時刻ｔ25において、CPU１０２は、楽曲データの再生を開始する。具体的には、上述した図５の場合と同様に、楽曲データの再生が行われる。
【００９９】
なお、図６では、ユーザが通話中に楽曲の再生を指令した場合、通話の終了後に自動的に楽曲データの再生が開始されるようにしたが、通話中の再生の指令を無視し、通話の終了後に、新たにユーザから再生の指令が行われた場合、楽曲データの再生が開始されるようにしてもよい。
【０１００】
図７では、ユーザが、基地局１１を介する楽曲データのダウンロードを指令する場合、CPU１０２が行う電源の供給の制御について説明する。
【０１０１】
図７に示すように、時刻ｔ31に、ユーザが操作部３２を操作し、基地局１１を介する楽曲データのダウンロードを指令する場合、操作部３２は、その操作を表す操作信号を記録再生部２８のCPU１０２に供給する。CPU１０２は、その操作信号に応じて、通信部２６のマイコン７２にダウンロードの指令を供給する。マイコン７２は、ダウンロードの指令に応じて、例えば、モデム７５の変調部９２を制御し、ダウンロードの要求を行うためのデータを変調させ、その結果得られる電波を、送信部８０、選択部７３、およびアンテナ２９を介して、基地局１１に送信する。図示せぬ楽曲データを配信するサーバは、その要求に応じて、基地局１１を介して、記録再生装置１２に楽曲データを電波として送信する。
【０１０２】
時刻ｔ32において、アンテナ２９は、その電波を受信し、ダウンロードが開始される。アンテナ２９により受信された電波は、受信部７４を介して復調部９１に供給される。復調部９２は、その電波を復調し、その結果得られる楽曲データを、一時的にフラッシュメモリ７６に記憶させる。復調部９２は、フラッシュメモリ７６に記憶されている楽曲データを読み出し、記録再生部２７の通信部I/F１２５を介して、RAMI/F１２２に供給する。
【０１０３】
時刻ｔ33において、RAMI/F１２２は、DMAC１２７の制御により、通信部I/F１２５から供給される楽曲データのバッファRAM１１３への書き込みを開始する。バッファRAM１１３の空き容量がなくなる前の時刻ｔ34において、CPU１０２は、スタンバイの指令をマイコン７２に供給し、マイコン７２は、CPU１０２に供給するステータス信号を、動作モードがスタンバイモードであることを表すステータス信号に変更する。
【０１０４】
時刻ｔ35において、マイコン７２は、電源供給部７１を制御し、マイコン７２とモデム７５以外への電源の供給を停止させる。即ち、マイコン７２は、通信部２６の動作モードをスタンバイモードに設定する。これにより、楽曲データのダウンロードは停止する。
【０１０５】
なお、このとき、例えば、マイコン７２は、内蔵するRAM（図示せぬ）に、最後にダウンロードした楽曲データの情報(例えば、ダウンロード対象の楽曲データの先頭からの位置など)を記憶しておき、ダウンロードを再開する場合、その情報を、変調部９２、送信部８０、選択部７３、アンテナ２９、および基地局１１を介して、楽曲データを配信するサーバに送信する。サーバは、記録再生装置１２から送信されてくる情報に基づいて、記録再生装置１２が最後にダウンロードした楽曲データの次の楽曲データから、楽曲データを送信する。
【０１０６】
バッファRAM１１３の空き容量がなくなる時刻ｔ36において、CPU１０２は、HDD２７への電源の供給を許可するHDD制御信号をスイッチ２５に供給し、HDD２７の電源をオンにする。RAMI/F１２２は、DMAC１２７の制御により、バッファRAM１１３への楽曲データの書き込みを停止し、バッファRAM１１３に記憶されている楽曲データの読み出しを開始する。
【０１０７】
RAMI/F１１３は、バッファRAM１１３から読み出した楽曲データを、HDDI/F１２９に供給し、HDDI/F１２９は、その楽曲データをHDD２７のハードディスク２７Ｂに記録させる。バッファRAM１１３に記憶されている楽曲データがすべて読み出される時刻ｔ37において、RAMI/F１１３は、バッファRAM１１３からの楽曲データの読み出しを停止する。また、CPU１０２は、HDD２７への電源の供給を不許可にするHDD制御信号をスイッチ２５に供給し、HDD２７の電源をオフにする。
【０１０８】
時刻ｔ38において、CPU１０２は、マイコン７２に通信部２６の各部への電源の供給の指令を供給する。マイコン７２は、その指令に応じて、電源供給部７１を制御し、電源供給部２２（の電源回路２２Ａ）からの電源を、通信部２６の各部に供給させる。即ち、通信部２６の電源がオンにされる。時刻ｔ39において、マイコン７２は、CPU１０２に供給するステータス信号を、動作モードがスタンバイモードではないことを表すステータス信号に変更する。
【０１０９】
また、マイコン７２は、例えば、モデム７５の変調部９２を制御し、ダウンロードの要求を行うためのデータと時刻ｔ35において記憶した最後にダウンロードした楽曲データの情報とを変調させ、その結果得られる電波を基地局１１に送信させる。その結果、サーバから送信されてくる最後にダウンロードされた楽曲データの次の楽曲データが電波として受信され、ダウンロードが再開される。そして、以降、ユーザが操作部３２を操作することにより、ダウンロードの終了を指令するまで、上述した処理が繰り返し行われる。
【０１１０】
次に、図８を参照して、記録再生部２８のCPU１０２による楽曲データの再生時の電源制御処理を説明する。この再生時の電源制御処理は、例えば、ユーザが操作部３２を操作し、楽曲データの再生を指令したとき、開始される。
【０１１１】
ステップＳ１において、CPU１０２は、通信中であるかどうかを判定する。具体的には、CPU１０２は、ユーザからの通話の指令の操作を表す操作信号が供給された後、ユーザからの通話の終了の操作を表す操作信号が供給されるまでの間、通話中であると判定する。
【０１１２】
ステップＳ１において、通話中であると判定された場合、ステップＳ２に進み、CPU１０２は、楽曲データの再生を行うことができない旨を表すメッセージを、表示出力部３３のLCD５１に表示させ、ステップＳ１に戻る。
【０１１３】
一方、ステップＳ１において、通話中ではないと判定された場合、ステップＳ３に進み、CPU１０２は、通信部２６のマイコン７２にスタンバイの指令を行う（供給する）。このとき、マイコン７２は、電源供給部７１を制御し、マイコン７２とモデム７５以外への電源の供給を停止させる。即ち、マイコン７２は、通信部２６の動作モードをスタンバイモードに設定する。
【０１１４】
ステップＳ３の処理後は、ステップＳ４に進み、CPU１０２は、HDD２７への電源の供給を許可するHDD電源制御信号をスイッチ２５に供給し、HDD２７の電源をオンにする。
【０１１５】
ステップＳ４の処理後は、ステップＳ５に進み、CPU１０２は、バッファRAM１１３の蓄積容量（記憶容量）を検出し、蓄積が完了したかどうかを判定する。具体的には、HDD２７の電源がオンにされると、HDDI/F１２９は、HDD２７のハードディスク２７Ｂに記録されている楽曲データを再生し、RAMI/F１２２に供給する。RAMI/F１２２は、DMAC１２７の制御により、その楽曲データをバッファRAM１１３に記憶させるとともに、バッファRAM１１３に記憶されている楽曲データを読み出す。そして、CPU１０２は、例えば、バッファRAM１１３の蓄積容量を検出し、その蓄積容量が、製造時に予め設定された所定の容量以上である場合、蓄積が完了したと判定し、蓄積容量が、その所定の容量未満である場合、蓄積が完了していないと判定する。
【０１１６】
ステップＳ５において、CPU１０２は、バッファRAM１１３の蓄積が完了していないと判定した場合、蓄積が完了したと判定されるまで、待機する。
【０１１７】
ステップＳ５において、バッファRAM１１３の蓄積が完了したると判定された場合、ステップＳ６に進み、CPU１０２は、HDD２７への電源の供給を不許可にするHDD電源制御信号をスイッチ２５に供給し、HDD２７の電源をオフにする。
【０１１８】
ステップＳ６の処理後は、ステップＳ７に進み、CPU１０２は、マイコン７２に通信部２６の各部への電源の供給の指令を行う。マイコン７２は、その指令に応じて、電源供給部７１を制御し、電源供給部２２（の電源回路２２Ａ）からの電源を通信部２６の各部に供給させる。即ち、通信部２６の電源をオンにする。これにより、通信部２６は通信を行うことができる。
【０１１９】
ステップＳ７の処理後は、ステップＳ８に進み、CPU１０２は、バッファRAM１１３の蓄積量を検出し、その蓄積量が所定量以下であるかどうかを判定する。この所定量は、例えば、製造時に予め設定される値であり、楽曲データを連続して再生するために必要な最低限の楽曲データの容量である。具体的には、HDD２７の電源がオフにされると、ハードディスク２７Ｂに記録されている楽曲データの再生が終了するので、RAMI/F１２２は、DMAC１２７の制御により、バッファRAM１１３に記憶されている楽曲データの読み出しのみを行う。そして、CPU１０２は、バッファRAM１１３の蓄積量を検出し、その蓄積量が所定量以下であるかどうかを判定する。
【０１２０】
ステップＳ８において、CPU１０２は、バッファRAM１１３の蓄積量が所定量以下ではないと判定した場合、所定量以下であると判定するまで待機する。
【０１２１】
また、ステップＳ８において、バッファRAM１１３の蓄積量が所定量以下であると判定された場合、ステップＳ９に進み、CPU１０２は、再生を終了するかどうか、即ち操作部３２から再生の終了の指令の操作を表す操作信号が供給されたどうかを判定する。
【０１２２】
ステップＳ９において、再生を終了しない、即ち操作部３２から再生の終了の指令の操作を表す操作信号が供給されていないと判定された場合、ステップＳ３に戻り、上述した処理が繰り返される。
【０１２３】
一方、ステップＳ９において、再生を終了する、即ち操作部３２から再生の終了の指令の操作を表す操作信号が供給されたと判定された場合、処理は終了する。
【０１２４】
以上のように、図８の再生時の電源制御処理では、CPU１０２は、HDD２７の電源をオンにするとき、通信部２６の動作モードをスタンバイモードに設定し、通信部２６の電源をオンにするとき、HDD２７の電源をオフにする。即ち、CPU１０２は、通信部２６（のマイコン７２とモデム７５以外）とHDD２７への電源の供給を排他的に行うように制御する。上述したように、マイコン７２とモデム７５における消費電力は、通信部２６全体における消費電力に比べて十分小さい（少ない）ので、HDD２７の電源をオンにするとき、通信部２６をスタンバイモードに設定することにより、通信部２６全体とHDD２７に電源を供給する場合に比べて、記録再生装置１２の消費電力を低減することができる。
【０１２５】
次に、図９を参照して、図４の記録再生部２８によるバッファRAM１１３に対して楽曲データの書き込みまたは読み出しを行うバッファRAM処理を説明する。このバッファRAM処理は、図８の再生時の電源制御処理と同時に行われる。
【０１２６】
ステップＳ１１において、CPU１０２は、HDD２７の電源がオンにされたかどうか、即ち図８のステップＳ４でHDD２７への電源の供給を許可するHDD電源制御信号をスイッチ２５に供給したかどうかを判定し、HDD２７の電源がオンにされていないと判定した場合、HDD２７の電源がオンにされていると判定するまで待機する。
【０１２７】
一方、ステップＳ１１において、HDD２７の電源がオンにされていると判定された場合、ステップＳ１２に進み、RAMI/F１２２は、HDD２７の電源がオンにされることによりハードディスク２７Ｂから再生された楽曲データの、バッファRAM１１３への書き込みを開始する。
【０１２８】
ステップＳ１２の処理後は、ステップＳ１３に進み、RAMI/F１２２は、バッファRAM１１３から、ステップＳ１２で記憶された楽曲データの読み出しを開始し、ステップＳ１４に進む。
【０１２９】
ステップＳ１４において、CPU１０２は、HDD２７の電源がオフにされたかどうか、即ち図８のステップＳ６でHDD２７への電源の供給を不許可にするHDD電源制御信号をスイッチ２５に供給したかどうかを判定し、HDD２７の電源がオフにされるまで待機する。即ち、バッファRAM１１３の蓄積が完了するまで、バッファRAM１１３への書き込みと、バッファRAM１１３からの読み出しとが行われる。
【０１３０】
また、ステップＳ１４において、HDD２７の電源がオフにされたと判定された場合、ステップＳ１５に進み、HDD２７の電源がオフされることによりHDD２７から楽曲データが供給されないので、RAMI/F１２２は、バッファRAM１１３への書き込み(動作)を停止する。
【０１３１】
ステップＳ１５の処理後は、ステップＳ１６に進み、CPU１０２は、図８のステップＳ９と同様に、再生を終了するかどうかを判定し、再生を終了しないと判定した場合、ステップＳ１７に進む。
【０１３２】
ステップＳ１７において、CPU１０２は、ステップＳ１１と同様に、HDD２７の電源がオンにされたかどうかを判定し、HDD２７の電源がオンにされていないと判定した場合、ステップＳ１６に戻る。
【０１３３】
一方、ステップＳ１７において、HDD２７の電源がオンにされたと判定された場合、ステップＳ１８に進み、RAMI/F１２２は、ステップＳ１２と同様に、HDD２７からの楽曲データの、バッファRAM１１３への書き込みを開始し、ステップＳ１４に戻り、上述した処理を繰り返す。
【０１３４】
また、ステップＳ１６において、再生を終了すると判定された場合、ステップＳ１９に進み、RAMI/F１２２は、バッファRAM１１３からの楽曲データの読み出しを終了して、処理を終了する。
【０１３５】
以上のように、バッファRAM１１３からの楽曲データの読み出しは、ステップＳ１３で開始されてからステップＳ１９で終了されるまで、即ち楽曲データの再生が指令されてから、楽曲データの再生の終了が指令されるまで連続して行われる。その結果、楽曲データの再生が指令されてから再生の終了が指令されるまで、バッファRAM１１３から読み出された楽曲データに対応する楽曲は、音声出力部３１から連続して出力される。このように、HDD２７から読み出された楽曲データを一時的にバッファRAM１１３に記憶させることにより、HDD２７の電源を常にオンにする必要なく、音声出力部３１から楽曲データを連続して出力させることができる。
【０１３６】
図１０を参照して、図３の通信部２６による、電子メールを送信または受信する電子メール送受信処理を説明する。この電子メール送受信処理は、図８の再生時の電源制御処理や図９のバッファRAM処理と同時に行われる。
【０１３７】
ステップＳ２１において、マイコン７２（図３）は、通信部２６の電源がオンにされている（通信部２６の各部に電源が供給されている）かどうかを判定し、オンにされていないと判定された場合、オンにされるまで待機する。
【０１３８】
一方、ステップＳ２１において、通信部２６の電源がオンにされていると判定された場合、ステップＳ２２に進み、マイコン７２（図３）は、内蔵するRAM(図示せず)に中断位置が記憶されているかどうか、即ち後述するステップＳ３０で中断位置が記憶されたかどうかを判定し、中断位置が記憶されていると判定した場合、ステップＳ２３に進む。
【０１３９】
ステップＳ２３において、エンコード部１０２は、電子メールを送信するかどうかを判定する。具体的には、ユーザが操作部３２を操作して電子メールの送信を指令する場合、その操作を表す操作信号に応じて、記録再生部２８のCPU１０２は、送信対象とする電子メール（のデータ）を作成し、RAM１０４に記憶させる。CPU１０２は、RAM１０４に記憶されている電子メールを読み出し、CPUI/F１２８と通信部I/F１２５を介して、その電子メールを通信部２６のエンコード部１０２に供給する。そこで、エンコード部１０２は、CPU１０２から電子メールが供給されたかどうかを判定することにより、電子メールを送信するかどうかを判定する。
【０１４０】
ステップＳ２３において、電子メールを送信する場合、即ちCPU１０２から電子メールが供給された場合、ステップＳ２４に進み、エンコード部１０２は、その電子メールをエンコードし、変調部９２に供給する。変調部９２は、そのエンコード後の電子メールを変調し、変調後の電子メールを、送信部８０、選択部７３、アンテナ２９、および基地局１１を介して、送信相手に送信する。
【０１４１】
ステップＳ２３において、電子メールを送信しない場合、即ちCPU１０２から電子メールが供給されていない場合、ステップＳ２５に進み、受信部７４は、基地局１１、アンテナ２９、および選択部７３を介して電子メールが受信されたかどうかを判定し、電子メールが受信されたと判定した場合、ステップＳ２６に進む。
【０１４２】
ステップＳ２６において、受信部７４は、受信した電子メールを復調部９１に供給して復調させ、その復調後の電子メールをフラッシュメモリ７６に記憶させる。
【０１４３】
また、ステップＳ２２において、中断位置が記憶されていると判定された場合、ステップＳ２７に進み、マイコン７２は、その中断位置に基づいて、受信部７４による電子メールの受信または送信部８０による電子メールの送信を行う。具体的には、マイコン７２は、内蔵するRAMに記憶されている中断位置が、受信対象である電子メールの中断位置である場合、送信部８０を制御し、その中断位置を基地局１１を介して、図示せぬ電子メールを送受信するサーバに送信する。サーバは、通信部２６から送信されてくる中断位置に基づいて、送信対象（受信部７４により受信される受信対象）となる電子メール（のデータ）の、先頭から中断位置後のデータを送信し、受信部７４は、そのデータを受信する。
【０１４４】
また、マイコン７２は、内蔵するRAMに記憶されている中断位置が、送信対象である電子メールの中断位置である場合、その中断位置を記録再生部２７のCPU１０２に供給する。CPU１０２は、RAM１９４から、送信対象として作成して記憶した電子メールの、先頭から中断位置後のデータをエンコード部１０２に供給する。その結果、電子メールの、先頭から中断位置後のデータが、通信部２６から基地局１１を介して、電子メールを送受信するサーバに送信される。
【０１４５】
ステップＳ２４，Ｓ２６、またはＳ２７の処理後、あるいはステップＳ２５で電子メールが受信されていないと判定された場合、ステップＳ２８に進み、マイコン７２は、図８のステップＳ３で記録再生部２７のCPU１０２からスタンバイの指令が供給されたかどうかを判定し、スタンバイの指令が供給されていないと判定した場合、ステップＳ２３に戻り、上述した処理を繰り返す。
【０１４６】
一方、ステップＳ２８において、スタンバイの指令が供給されていると判定された場合、ステップＳ２９に進み、マイコン７２は、電源供給部７１を制御し、モデム７５とマイコン７２以外への電源の供給を停止させる。その結果、選択部７３による電子メールの通信（送受信）が中断される。
【０１４７】
ステップＳ２９の処理後は、ステップＳ３０に進み、マイコン７２は、復調部９１を介して最後に受信された電子メール（のデータ）、または変調部９２を介して最後に送信された電子メール（のデータ）の先頭からの位置を、中断位置として認識する。そして、マイコン７２は、内蔵するRAM（図示せず）に記憶し、ステップＳ２１に戻る。
【０１４８】
このように、電子メールの通信が中断された場合、マイコン７２は、その中断した位置を記憶するので、ステップＳ２７で、その中断位置後のデータから確実に通信を再開することができる。
【０１４９】
なお、上述した図１０のステップＳ３０では、マイコン７２が、内蔵するRAMに受信対象の電子メールの中断位置を記憶させたが、RAMに記憶させずに、送信部８０を制御して、電子メールを送受信するサーバに送信してもよい。この場合、マイコン７２は、電子メールの受信を再開する場合、サーバに電子メールの受信を要求し、サーバは、直前に送信部８０から送信された中断位置に基づいて、電子メール（のデータ）を送信する。
【０１５０】
また、図１０の電子メール送受信処理では、電子メールの送信または受信を中断した場合、その電子メール（のデータ）の、先頭から中断位置後のデータから、送信または受信を再開するようにしたが、再度先頭から送信または受信を再開するようにしてもよい。
【０１５１】
次に、図１１を参照して、CPU１０２による基地局１１を介してダウンロードされた楽曲データのハードディスク２７Ｂへの記録時の電源制御処理を説明する。この記録時の電源制御処理は、例えば、ユーザが操作部３２を操作し、楽曲データのダウンロードを指令したとき、開始される。
【０１５２】
ステップＳ３１において、CPU１０２は、通信部２６（の復調部９１）から通信部I/F１２５に楽曲データが供給されたかどうかを判定し、楽曲データが供給されたと判定するまで待機する。
【０１５３】
ステップＳ３１において、楽曲データが供給されたと判定された場合、ステップＳ３２に進み、通信部I/F１２５は、その楽曲データをRAMI/F１２２に供給する。RAMI/F１２２は、DMAC１２７の制御により、通信部I/F１２５からの楽曲データを、バッファRAM１１３に供給し、楽曲データを記憶（蓄積）させる。
【０１５４】
ステップＳ３２の処理後は、ステップＳ３３に進み、CPU１０２は、図８のステップＳ５と同様に、バッファRAM１１３の蓄積容量(記憶容量)を検出し、蓄積が完了したかどうかを判定する。
【０１５５】
ステップＳ３３において、CPU１０２は、バッファRAM１１３の蓄積が完了していないと判定した場合、ステップＳ３２に戻り、蓄積が完了したと判定されるまで、楽曲データがバッファRAM１１３に記憶される。
【０１５６】
一方、ステップＳ３３において、バッファRAM１１３の蓄積が完了したと判定された場合、ステップＳ３４に進み、CPU１０２は、通信部２６のマイコン７２にスタンバイの指令を行う。このとき、マイコン７２は、電源供給部７１を制御し、マイコン７２とモデム７５以外への電源の供給を停止させる。即ち、マイコン７２は、通信部２６の動作モードをスタンバイモードに設定する。その結果、通信部２６からの楽曲データの供給が停止される。
【０１５７】
ステップＳ３４の処理後は、ステップＳ３５に進み、CPU１０２は、HDD２７への電源の供給を許可するHDD制御信号をスイッチ２５に供給し、HDD２７の電源をオンにする。このとき、RAMI/F１２２は、DMAC１２７の制御により、バッファRAM１１３への楽曲データの書き込みを停止し、バッファRAM１１３に記憶されている楽曲データの読み出しを開始する。
【０１５８】
ステップＳ３５の処理後は、ステップＳ３６に進み、HDDI/F１２９は、RAMI/F１２２によりバッファRAM１１３から読み出された楽曲データを、HDD２７のハードディスク２７Ｂに記憶させ、ステップＳ３７に進む。
【０１５９】
ステップＳ３７において、CPU１０２は、バッファRAM１１３に記憶されている楽曲データがすべて読み出されるかどうかを判定し、すべて読み出されないと判定した場合、ステップＳ３６に戻り、ハードディスク２７Ｂに、バッファRAM１１３に記憶されている楽曲データがすべて記憶されるまで、バッファRAM１１３から読み出された楽曲データが、ハードディスク２７Ｂに記憶される。
【０１６０】
ステップＳ３７において、バッファRAM１１３に記憶されている楽曲データがすべて読み出されたと判定された場合、ステップＳ３８に進み、CPU１０２は、HDD２７への電源の供給を不許可にするHDD制御信号をスイッチ２５に供給し、HDD２７の電源をオフにする。
【０１６１】
ステップＳ３８の処理後は、ステップＳ３９に進み、CPU１０２は、マイコン７２に通信部２６の各部への電源の供給の指令を行う。マイコン７２は、その指令に応じて、電源供給部７１を制御し、電源供給部２２（の電源回路２２Ａ）からの電源を通信部２６の各部に供給させる。即ち、通信部２６の電源をオンにする。その結果、楽曲データのダウンロードが再開され、処理はステップＳ３１に戻る。
【０１６２】
以上のように、図１１の記録時の電源制御処理では、CPU１０２は、HDD２７の電源をオンにするとき、通信部２６をスタンバイモードに設定し、通信部２６の電源をオンにするとき、HDD２７の電源をオフにする。上述したように、マイコン７２とモデム７５における消費電力は、通信部２６全体における消費電力に比べて十分小さい（少ない）ので、HDD２７の電源をオンにするとき、通信部２６をスタンバイモードに設定することにより、通信部２６全体とHDD２７に電源を供給する場合に比べて、記録再生装置１２の消費電力を低減することができる。
【０１６３】
次に、図１２を参照して、図３の通信部２６による基地局１１を介する楽曲データのダウンロード処理を説明する。このダウンロード処理は、例えば、記録再生部２７のCPU１０２から楽曲データのダウンロードの指令が供給されたとき、開始される。
【０１６４】
ステップＳ４１において、マイコン７２は、モデム７５を制御し、楽曲データのダウンロードを要求するデータを基地局１１に送信させる。具体的には、モデム７５の変調部９２は、マイコン７２から供給される楽曲データのダウンロードを要求するためのデータ（例えば、ダウンロード対象となる楽曲を識別するデータと、要求元の記録再生装置１２を識別するためのデータ）を変調し、その結果得られる電波を、送信部８０、選択部７３、およびアンテナ２９を介して、基地局１１に送信する。
【０１６５】
ここで、楽曲には、楽曲を識別するデータとして、楽曲に固有のＩＤ(以下、楽曲ＩＤという)が付されており、記録再生装置１２には、記録再生装置１２を識別するデータとして、記録再生装置１２に固有のＩＤ(以下、装置ＩＤという)が付されている。変調部９２は、例えば、楽曲データのダウンロードを要求するためのデータとして、ダウンロード対象となる楽曲ＩＤ(例えば、100xxxx1)と、要求元である自分自身の装置ＩＤ（例えば、9x98sxx）とを送信する。
【０１６６】
ステップＳ４１の処理後は、ステップＳ４２に進み、復調部９１は、ステップＳ４１で送信した要求に応じてサーバから基地局１１を介して電波として送信されてくる楽曲データが、アンテナ２９、選択部７３、および受信部７４を介して受信されたかどうかを判定する。
【０１６７】
ステップＳ４２において、復調部９１は、楽曲データが受信されていないと判定された場合、楽曲データが受信されたと判定されるまで待機する。一方、ステップＳ４２において、楽曲データが受信されたと判定された場合、ステップＳ４３に進み、復調部９１は、電波として受信された楽曲データを復調し、その結果得られる楽曲データを、フラッシュメモリ７６に一時的に記憶させる。
【０１６８】
ステップＳ４３の処理後は、ステップＳ４４に進み、復調部９１は、フラッシュメモリ７６に記憶されている楽曲データを読み出し、その楽曲データを通信部２６の通信部I/F１２５に供給して、ステップＳ４５に進む。
【０１６９】
ステップＳ４５において、マイコン７２は、CPU１０２からスタンバイの指令が供給されたかどうか、即ち図１１のステップＳ９３で記録再生部２７のCPU１０２によりスタンバイの指令が行われたかどうかを判定し、スタンバイの指令が供給されたと判定した場合、ステップＳ４６に進む。
【０１７０】
ステップＳ４６において、マイコン７２は、電源供給部７１を制御し、モデム７５とマイコン７２以外への電源の供給を停止させ、ステップＳ４７に進む。ステップＳ４７において、マイコン７２は、フラッシュメモリ７６から復調部９１を介して最後にダウンロードされた楽曲データの情報（例えば、先頭から３分２０秒）を読み出し、内蔵するRAM（図示せず）に記憶する。
【０１７１】
ステップＳ４７の処理後は、ステップＳ４８に進み、マイコン７２は、CPU１０２から通信部２６の各部への電源の供給の指令が供給されたかどうか、即ち図１１のステップＳ３９でCPU１０２により通信部２６の各部への電源の供給の指令が行われたかどうかを判定し、通信部２６の各部への電源の供給の指令が供給されていないと判定した場合、通信部２６の各部への電源の供給の指令が供給されたと判定するまで待機する。
【０１７２】
ステップＳ４８において、通信部２６の各部への電源の供給の指令が供給されたと判定された場合、マイコン７２は、電源供給部７１を制御し、通信部２６の各部に電源を供給させる。即ち、通信部２６の電源はオンにされる。
【０１７３】
ステップＳ４８の処理後は、ステップＳ４９に進み、マイコン７２は、内蔵するRAMに記憶されている楽曲データの情報に基づいて、すべての楽曲データのダウンロードが終了したかどうかを判定し、すべての楽曲データのダウンロードが終了していないと判定した場合、ステップＳ５０に進む。
【０１７４】
ステップＳ５０において、マイコン７２は、ステップＳ４７で内蔵するRAMに記憶した最後にダウンロードされた楽曲データの情報(例えば、先頭から３分２０秒)と、楽曲データのダウンロードを要求するためのデータ(例えば、楽曲ＩＤ「100xxxx1」と装置ＩＤ「9x98sxx」)とを変調部９２に供給して変調させ、送信部８０、選択部７３、アンテナ２９、および基地局１１を介してサーバに送信する。
【０１７５】
サーバは、記録再生装置１２の通信部２６から送信されてくる楽曲データの情報に基づいて、その情報に対応する楽曲データの次の楽曲データを送信する。ステップＳ４９の処理後は、ステップＳ４２に戻り、その楽曲データが受信（ダウンロード）され、上述した処理が繰り返される。
【０１７６】
一方、ステップＳ４５において、記録再生部２７のCPU１０２からスタンバイの指令が供給されていないと判定された場合、ステップＳ５１に進み、ステップＳ４９と同様に、マイコン７２は、すべての楽曲データのダウンロードが終了したかどうかを判定し、終了していないと判定した場合、ステップＳ４２に戻り、上述した処理を繰り返す。
【０１７７】
また、ステップＳ４９とＳ５１で、すべての楽曲データのダウンロードが終了したと判定された場合、処理は終了する。
【０１７８】
なお、上述した図１０のステップＳ４７では、マイコン７２が、内蔵するRAMに楽曲データの情報を記憶させたが、RAMに記憶させずに、送信部８０を制御して、楽曲データを配信するサーバに送信してもよい。この場合、ステップＳ５０では、マイコン７２は、サーバに装置ＩＤのみを送信する。
【０１７９】
図１３は、図１の記録再生装置１２の第２の実施の形態の構成例を示している。なお、図中、図２における場合と対応する部分については、同一の符号を付してある。
【０１８０】
図１３の記録再生装置１２では、スイッチ２４に接続されている電源ライン２６Ａと、スイッチ２５に接続されている電源ライン２７Ａとが、一本化されている。
【０１８１】
即ち、図１３の記録再生装置１２では、電源供給部２００は、電源回路２２ＣとDC/DCコンバータ２０１から構成される。DC/DCコンバータ２０１は、外部、電源蓄積部２１、または電池２３から供給される電源の電圧を変換し、大電流を生成する。DC/DCコンバータ２０１には、１つの電源ライン２０２が接続され、その電源ライン２０２が分岐してスイッチ２４とスイッチ２５に接続されている。DC/DCコンバータ２０１から出力される電源(電力)は、電源ライン２０２を介して、スイッチ２４と２５に供給される。
【０１８２】
以上のように、図１３の記録再生装置１２では、１つのDC/DCコンバータ２０１が、通信部２６とHDD２７に電源を供給するので、２つの電源回路２２Ａと２２Ｂを有する場合に比べて、記録再生装置１２のコストを削減することができる。
【０１８３】
また、本実施の形態では、記録再生装置１２がハードディスク２７Ｂを内蔵するHDD２７を有していたが、HDD２７ではなく、Hi-MD（Hi-Mini-Disk）（商標）などのリムーバブルメディアが装着されるドライブを有するようにしてもよい。
【０１８４】
さらに、基地局１１を介してダウンロードするデータは、楽曲データに限定されず、動画像や静止画像、あるいは数値などのデータ、またはプログラムなどであってもよい。
【０１８５】
次に、上述した一連の処理は、専用のハードウェアにより行うこともできるし、ソフトウェアにより行うこともできる。一連の処理をソフトウェアによって行う場合には、そのソフトウェアを構成するプログラムが、汎用のコンピュータ等にインストールされる。
【０１８６】
そこで、図１４は、上述した一連の処理を実行するプログラムがインストールされるコンピュータの一実施の形態の構成例を示している。
【０１８７】
プログラムは、コンピュータに内蔵されている記録媒体としての記憶部３０８やROM３０２に予め記録しておくことができる。
【０１８８】
あるいはまた、プログラムは、フレキシブルディスク、CD-ROM(Compact Disc Read Only Memory)，MO(Magneto Optical)ディスク，DVD(Digital Versatile Disc)、磁気ディスク、半導体メモリなどのリムーバブルメディア３１２に、一時的あるいは永続的に格納（記録）しておくことができる。このようなリムーバブルメディア３１２は、いわゆるパッケージソフトウエアとして提供することができる。
【０１８９】
なお、プログラムは、上述したようなリムーバブルメディア３１２からコンピュータにインストールする他、ダウンロードサイトから、デジタル衛星放送用の人工衛星を介して、コンピュータに無線で転送したり、LAN(Local Area Network)、インターネットといったネットワークを介して、コンピュータに有線で転送し、コンピュータでは、そのようにして転送されてくるプログラムを、通信部３０９で受信し、内蔵する記憶部３０８にインストールすることができる。
【０１９０】
コンピュータは、CPU３０１を内蔵している。CPU３０１には、バス３０４を介してROM３０２とRAM３０３が接続されている。例えば、CPU３０１、ROM３０２、およびRAM３０３は、マイクロコンピュータ（マイコン）として構成される。
【０１９１】
CPU３０１にはまた、バス３０４を介して、入出力インタフェース３０５が接続されており、CPU３０１は、入出力インタフェース３０５を介して、ユーザによって、キーボードや、マウス、マイク等で構成される入力部３０６が操作等されることにより指令が入力されると、それにしたがって、ROM３０２に格納されているプログラムを実行する。あるいは、また、CPU３０１は、記憶部３０８に格納されているプログラム、衛星若しくはネットワークから転送され、通信部３０９で受信されて記憶部３０８にインストールされたプログラム、またはドライブ３１１に装着されたリムーバブルメディア３１２から読み出されて記憶部３０８にインストールされたプログラムを、RAM３０３にロードして実行する。
【０１９２】
これにより、CPU３０１は、上述したフローチャートにしたがった処理、あるいは上述したブロック図の構成により行われる処理を行う。そして、CPU３０１は、その処理結果を、必要に応じて、例えば、入出力インタフェース３０５を介して、LCD(Liquid Crystal Display)やスピーカ等で構成される出力部３０７から出力、あるいは、通信部３０９から送信、さらには、記憶部３０８に記録等させる。撮影部３１０は、被写体を撮影し、その結果得られる画像データを、記憶部３０８に記録させる。また、電源供給部３１３は、CPU３０１の制御により、各部に電源を供給する。
【０１９３】
ここで、本明細書において、コンピュータに各種の処理を行わせるためのプログラムを記述する処理ステップは、必ずしもフローチャートとして記載された順序に沿って時系列に処理する必要はなく、並列的あるいは個別に実行される処理（例えば、並列処理あるいはオブジェクトによる処理）も含むものである。
【０１９４】
また、プログラムは、１のコンピュータにより処理されるものであっても良いし、複数のコンピュータによって分散処理されるものであっても良い。さらに、プログラムは、遠方のコンピュータに転送されて実行されるものであっても良い。
【図面の簡単な説明】
【０１９５】
【図１】本発明を適用した通信システムの構成例を示す図である。
【図２】図１の記録再生装置の第１実施の形態の構成例を示すブロック図である。
【図３】図２の通信部の詳細構成例を示すブロック図である。
【図４】図２の記録再生部の詳細構成例を示すブロック図である。
【図５】図４の記録再生部が行う通信部とHDDへの電源の供給の制御について説明する図である。
【図６】図４の記録再生部が行う通信部とHDDへの電源の供給の制御について説明する図である。
【図７】図４の記録再生部が行う通信部とHDDへの電源の供給の制御について説明する図である。
【図８】CPUによる再生時の電源制御処理を説明するフローチャートである。
【図９】バッファRAMに対して楽曲データの書き込みまたは読み出しを行うバッファRAM処理を説明するフローチャートである。
【図１０】電子メールを送信または受信する電子メール送受信処理を説明するフローチャートである。
【図１１】CPUによる記録時の電源制御処理を説明するフローチャートである。
【図１２】通信部による楽曲データのダウンロード処理を説明するフローチャートである。
【図１３】図１の記録再生装置の第２の実施の形態の構成例を示すブロック図である。
【図１４】本発明を適用したコンピュータの一実施の形態の構成例を示すブロック図である。
【符号の説明】
【０１９６】
１１  基地局，  １２  記録再生装置，  ２２  電源供給部，  ２４  スイッチ，  ２６  通信部，  ２７  HDD，  ２７Ｂ  ハードディスク２７Ｂ，  ２８  記録再生部，  ７１  電源供給部，  ７２  マイコン，  １０２  CPU，  １１３  バッファRAM，  １２２  RAMI/F，  ３０１  CPU，  ３０２  ROM,  ３０３  RAM，  ３０８  記憶部，  ３０９  通信部，  ３１３  電源供給部
【図１】
2006236057.tif 000003
【図２】
2006236057.tif 000004
【図３】
2006236057.tif 000005
【図４】
2006236057.tif 000006
【図５】
2006236057.tif 000007
【図６】
2006236057.tif 000008
【図７】
2006236057.tif 000009
【図８】
2006236057.tif 000010
【図９】
2006236057.tif 000011
【図１０】
2006236057.tif 000012
【図１１】
2006236057.tif 000013
【図１２】
2006236057.tif 000014
【図１３】
2006236057.tif 000015
【図１４】
2006236057.tif 000016